(57)【要約】【目的】  組み立て精度を高くすることができるロッドレンズアレイと、その製造方法を提供することを目的とする。【解決手段】  本発明のロッドレンズアレイの製造方法は、互いに平行になるように配置した一対のフレームの間に複数のロッドレンズを光軸が平行になるように配列し、前記ロッドレンズを光軸方向と平行方向に引っ張り、前記フレームによって前記ロッドレンズを挟む方向に押さえ付けて各ロッドレンズをフレームに接着させる。ロッドレンズの反りや曲がりを矯正することができるので、レンズアレイのロッドレンズの光軸を確実に平行にすることができる。【選択図】図１
2007025325.tif 000002
【特許請求の範囲】
【請求項１】
所定のピッチで並べられた複数のロッドレンズを有するロッドレンズアレイにおいて、
互いに平行になるように配置した一対のフレームの間に複数のロッドレンズを光軸が平行になるように配列し、
前記ロッドレンズを光軸方向と平行方向に引っ張り、
前記フレームによって前記ロッドレンズを挟む方向に押さえ付け、各ロッドレンズをフレームに接着させてなることを特徴とするロッドレンズアレイ。
【請求項２】
前記フレームは複数のロッドレンズの各々を所定の間隔に保持する複数の溝が形成されることを特徴とする請求項１記載のロッドレンズアレイ。
【請求項３】
前記複数の溝の間隔Igは、前記ロッドレンズの直径をＤとしたときに、式）Ｄ＜Ｉg＜２Ｄを満たすことを特徴とする請求項２記載のロッドレンズアレイ。
【請求項４】
前記ピッチをｐとし、前記ロッドレンズの直径をＤとしたときに、式）Ｄ＜ｐ＜２Ｄを満たすことを特徴とする請求項１記載のロッドレンズアレイ。
【請求項５】
前記複数のロッドレンズは充填材と共に前記一対のフレーム間に挟持されることを特徴とする請求項１記載のロッドレンズアレイ。
【請求項６】
互いに平行になるように配置した一対のフレームの間に複数のロッドレンズを光軸が平行になるように配列し、前記ロッドレンズを光軸方向と平行方向に引っ張り、前記フレームによって前記ロッドレンズを挟む方向に押さえ付けて各ロッドレンズをフレームに接着させてなることを特徴とするロッドレンズアレイの製造方法。
【請求項７】
前記フレームによって前記ロッドレンズを挟む方向に押さえ付けながら、前記ロッドレンズの位置を調整することを特徴とする請求項６記載のロッドレンズアレイの製造方法。
【請求項８】
前記ロッドレンズの位置を調整する際に前記ロッドレンズの周囲に充填された充填材が固められることを特徴とする請求項７記載のロッドレンズアレイの製造方法。
【請求項９】
請求項１記載のロッドレンズアレイの一方のレンズ端面に対向するように光源を配置し、他方のレンズ端面に対向するように像面を配置したことを特徴とする露光装置。
【請求項１０】
請求項９記載の露光装置を備えることを特徴とする画像形成装置。
【発明の詳細な説明】
【技術分野】
【０００１】
本発明は、電子写真プリンタやファクシミリ装置やスキャナ装置等の画像伝送部に用いられるロッドレンズアレイに関する。
【背景技術】
【０００２】
従来、プリンタ、複写機、ファクシミリ等の電子写真式の画像形成装置においては、感光体ドラムを露光するための光学式の露光装置としてＬＥＤヘッドが配設され、スキャナ等の原稿読取装置においては、原稿を読み取るための光学式の画像読取ヘッドが配設されるようになっている。そして、前記ＬＥＤヘッド、画像読取ヘッド等の光学ヘッドにおいては、ＬＥＤ素子からの光を集束させるためにレンズアレイが使用され、該レンズアレイは、複数のロッドレンズを整列させて配置することによって形成され、全体で1個の立体等倍の成立像を実像として形成することができる。さらに、近年、画像形成装置や原稿読取装置においては高解像度化が求められており、該レンズアレイにおいても高い組み立て精度が求められている。
【０００３】
図２は従来のレンズアレイを示す図である。図において、115は複数の屈折率分布型のロッドレンズ、114は該ロッドレンズ115を挟んで平行に配設されたFRP(繊維強化プラスチック)製の二つのフレーム板である。該ロッドレンズ115は該フレーム板114問に隙(すき)間なく配設される。該ロッドレンズ115は、例えば、直径が0.6〔mm〕で、長さが300〔mm〕のガラス製の細長棒状体から成る。
【０００４】
従来技術においては前記二つのフレーム板114のうち一方のフレーム板を支持部材上にセットし、前記支持部材上に架設され、所定のピッチで溝が形成された押付部材と前記フレーム板との間に前記ロッドレンズを挿入し、前記押付部材によって前記ロッドレンズを前記フレーム板に押し付けた状態で各ロッドレンズをフレーム板に接着させ、ロッドレンズ・フレーム板ユニットを形成する。その後、前記フレーム板14およびロッドレンズ115によって形成された空間に充填(てん)剤112を充填して含浸させ、硬化させて、各ロッドレンズ115を固定する。このようにして、レンズアレイ111が形成される。
【０００５】
【特許文献１】特開２００４−１６７８３８号公報
【発明の開示】
【発明が解決しようとする課題】
【０００６】
しかしながら、レンズアレイにおいては、ロッドレンズに形状のばらつき、反り等があると、各ロッドレンズの光軸は互いに平行ではなくなってしまう。その結果、レンズアレイの解像度が低下したり露光像の結像位置にばらつきが生ずる。すると、例えば、該レンズアレイを備えた露光装置を備えた画像形成装置においては、画像濃度が不均一になったり、画像に筋が形成されたり、画像品位が低下してしまう、また、前記従来のレンズアレイ11については、前記のレンズアレイの問題点を軽減できるものの、近年の画像形成装置の露光装置や原稿読取装置における高解像度化により、レンズアレイについても高い組み立て精度が求められており、前記従来のレンズアレイ11においても不十分であった。
【０００７】
そこで、本発明は、組み立て精度を高くすることができるロッドレンズアレイと、その製造方法を提供することを目的とする。
【０００８】
上述の技術的な課題に鑑み、本発明のロッドレンズアレイは、所定のピッチで並べられた複数のロッドレンズを有するロッドレンズアレイにおいて、互いに平行になるように配置した一対のフレームの間に複数のロッドレンズを光軸が平行になるように配列し、前記ロッドレンズを光軸方向と平行方向に引っ張り、前記フレームによって前記ロッドレンズを挟む方向に押さえ付け、各ロッドレンズをフレームに接着させてなることを特徴とする。
【０００９】
一対のフレームの間に複数のロッドレンズを光軸が平行になるように配列し、前記ロッドレンズを光軸方向と平行方向に引っ張ることで、各ロッドレンズのフレームへの固定過程の中で全体的な各ロッドレンズの位置を光軸に併せていくことができ、ロッドレンズアレイの解像度の低下や露光像の結像位置のばらつきを未然に防止することができる。
【００１０】
また、本発明のロッドレンズアレイの製造方法は、互いに平行になるように配置した一対のフレームの間に複数のロッドレンズを光軸が平行になるように配列し、前記ロッドレンズを光軸方向と平行方向に引っ張り、前記フレームによって前記ロッドレンズを挟む方向に押さえ付けて各ロッドレンズをフレームに接着させてなることを特徴とする。
【００１１】
前記ロッドレンズを光軸方向と平行方向に引っ張り、前記フレームによって前記ロッドレンズを挟む方向に押さえ付けて各ロッドレンズをフレームに接着させることで、各ロッドレンズは接着位置が空間的に制限されながら接着されていくことになり、位置精度を高めながら、各ロッドレンズを固定できることになる。
【発明の効果】
【００１２】
本発明によれば、各ロッドレンズのフレームへの固定過程の中で全体的な各ロッドレンズの位置を光軸に併せていくことができ、ロッドレンズアレイの解像度の低下や露光像の結像位置のばらつきを未然に防止することができる。従って、本発明のロッドレンズアレイを電子写真プリンタやファクシミリ装置やスキャナ装置等の画像形成部や画像読み取り部に用いた場合では、均一な画像濃度で画像を形成することができ、読み取りや形成する画像の品質を高く維持することができる。
【発明を実施するための最良の形態】
【００１３】
本発明の第１実施形態のロッドレンズアレイと、その製造方法について図面を参照しながら説明する。図１は第１実施形態のレンズアレイを作成するレンズアレイ作成装置40である。図１において、レンズアレイ作成装置40は一対のレンズアレイホルダ42を有しており、レンズアレイホルダ42は２枚の板状部材の主面同士が互いに平行に向かい合うように配置されたものである。このレンズアレイホルダ42には、２枚のフレーム板14が互いに平行になるように配置され、該フレーム板14の問には光軸が互いに平行になるように複数のロッドレンズ15が配置される。これら２枚のフレーム板14と複数のロッドレンズ15を固着させて、ロッドレンズアレイが形成される。
【００１４】
フレーム板14は該ロッドレンズ15を挟んで平行に配設されたＦＲＰ(繊維強化プラスチック)製の板材であり、矩形状を有する部材である。これら一対のフレーム板14の間に積層されるロッドレンズ15はそれぞれ円筒状で、例えば、直径が0.6〔mm〕で、長さが300〜400〔mm〕程度のガラス製の細長棒状体から成る。
【００１５】
レンズアレイ作成装置40を用いてロッドレンズアレイを作成する場合、まず、フレーム板14で複数のロッドレンズ15を挟み込むように、フレーム板14及びロッドレンズ15を支持し、レンズアレイホルダ42と固定ネジ43によって該フレーム板14が押さえ付けられる。このレンズアレイホルダ42の端面に臨むように、一対の引っ張り部材41、41が設けられており、引っ張り部材41、41はそれぞれ複数のロッドレンズ15の各端部を挟持する。固定ネジ43の締め付け力でレンズアレイホルダ42を介して複数の前記ロッドレンズ15を挟み、レンズアレイホルダ42と引っ張り部材41の間に形成されたプランジャ44の伸張により該ロッドレンズ１5を光軸と平行方向に引っ張る。なお、該引っ張り部材41が前記ロッドレンズ15の光軸方向のみに水平動作するように該引っ張り部材41と前記レンズアレイホルダ42は、図示しない支持部材により支持される。
【００１６】
ロッドレンズアレイの製造方法については、まず、前記レンズアレイホルダ42を構成する2枚の板状部材のうちの一方の上に前記フレーム板14を1枚配置する。さらに該フレーム板14の上にカーボンブラック等が混入された黒色のシリコーン樹脂から成る充填剤12を均一に塗布する。
【００１７】
次に該充填剤12塗布した該フレーム板14の面上に前記ロッドレンズ15を光軸が互いに平行になるように1列に複数配置する。ここで、図１に示したとおり、引っ張り部材41、41で該ロッドレンズ15の端部を引っ張る必要があるため、該ロッドレンズ15は前記フレーム板14やレンズアレイホルダ42よりも長いものを使用する。ロッドレンズ15をフレーム板14に載置する場合に、ロッドレンズ15が散らないように、引っ張り部材41、41の間にはピン46、46を配するようにしている。また、フレーム板14の間には、側部規制部材47、47が配設され、これら側部規制部材47、47は一対のフレーム板14の間に挟まれてロッドレンズ15の側面の位置を規制する。
【００１８】
なお、２列のロッドレンズ列により構成されたレンズアレイ10を作成する場合には、該ロッドレンズ15を光軸が互いに平行になるように1列に配置した後に、さらにもう列のロッドレンズを、光軸側から見た場合に俵積みになるように配置する。
【００１９】
次に該ロッドレンズ15を配置した上に前記の充填剤12を塗布し、もう一枚のフレーム板14を重ね、更にその上に前記レンズアレイホルダ42を構成する板状部材のもう一方を重ね、前記固定ネジ43を用いて固定する。
【００２０】
次に前記レンズアレイホルダ42により固定された前記ロッドレンズ15を光軸方向に引っ張ることが出来るように、両端を前記引っ張り部材41で挟み固定ネジ43を締め付けて固定する。さらに前記プランジャ44を回転し伸張させると前記引っ張り部材41は前記レンズホルダ42から離れるように可動するので、前記ロッドレンズ15を光軸方向に引っ張ることが出来る。
【００２１】
次にロッドレンズアレイを所定の寸法に裁断し、各ロッドレンズ15の端面を光学研磨し、２列のロッドレンズ15を両側からフレーム板によって挟んだ構造のロッドレンズアレイが形成される。
【００２２】
このような方法により、前記レンズアレイホルダ42により前記ロッドレンズ15を挟むように前記フレーム板14に力を加えながら、前記引っ張り部材41によって、該ロッドレンズ15を光軸方向に引っ張り、さらに前記充填剤12を固化させることにより、ロッドレンズの反りや曲がりを矯正しながら、フレーム板によりロッドレンズを固定することができ、従来のレンズアレイのようなロッドレンズの反りや曲がりを発生させずにレンズアレイを形成することができる。
【００２３】
続いて本発明に係る露光装置の構成について図面を用いて説明する。図３に示すのは、本発明に係る露光装置の概略断面図であり、露光装置5は、像担持体としての感光体ドラム61、該感光体ドラム61と対向させ、所定の距離を置いて配設された前記レンズアレイ10、LEDアレイチップ51、ドライバIC52、配線基板53、ワイヤ54及び保持部材55を備える。
【００２４】
該配線基板53は、一般に広く用いられるものと同様に絶縁基材上に導体パターンを形成することによって形成される。また、該LEDアレイチップ51は、複数の発光部を構成する発光素子としてのLED素子を備え、該ドライバlC52と各LED素子とがワイヤ54を介して電気的に接続されるとともに、ドライバIC52と配線基板53の導体パターンとが電気的に接続される。本実施形態において、露光装置5は、A4版サイズに1200[dpi]の解像度で印刷を行うことができるようにした電子写真プリンタに使用される。該LEDアレイチップ51上には前記発光部を約0.02[mm]間隔で384個のGaAsP等の基板材料をもちいて形成される。該LEDアレイチップ51は該配線基板53上に26個使用される。該配線基板53はガラスエポキシ基板に銅箔(はく)等の導体材料を用いて導体パターンを形成したものであり、該ワイヤ54には金線を用いられる。
【００２５】
また、前記保持部材55は、前記配線基板53を介してLEDアレイチップ51を所定の位置に保持するとともに、レンズアレイ10をLEDアレイチップ51の各LED素子の発光面に対して所定の位置に保持する。
【００２６】
続いて本発明に係る画像形成装置の構成について説明する。図４は本発明の実施の形態にかかる構成を示す概略図である。静電潜像担持体としての感光体ドラム61が設けられており、62は金属シャフトと半導電性ゴム層によって構成される帯電装置としての帯電ロール、63は現像装置である。金属シャフトと半導電性ゴム層よりなる現像ロール631、金属シャフトと半導電性ゴム層よりなるトナー供給ロール632、現像ブレード633からなり、該現像装置63の筐体内には所定量のトナー634が充填されている。ここで、前記感光体ドラム61は導電性支持体61a上に光導電層61bを設けたものである。64は前記感光体61上から媒体に転写されずに残ったトナーを回収するクリーニングブレード、65は前記感光体61に形成されたトナー像を転写する転写装置としての転写ロール、66は媒体上に転写されたトナー像を媒体に定着する定着装置であり、該定着装置66は発熱ロール66aと加圧ロール66bによって構成されている。67は媒体を備える紙カセット、68は前記転写装置65付近に媒体を搬送する給紙ロール、69は前記定着装置を通過した媒体を搬送する送紙ロールである。
【００２７】
図３に示す露光装置の動作について説明する。前記ドライバIC52を駆動して、前記LEDアレイチップ51の・各LED素子の発光光量のバラツキを補正しながら、該各LED素子を選択的に発光させる。該レンズアレイ10を構成する前記ロッドレンズは屈折率分布を有することにより、前記発光部から放射された光はレンズアレイ10によって集束され、前記感光体ドラム61上に露光像が形成される。
【００２８】
次に、図４に示す電子写真装置の動作について説明する。電子写真記録方式では、帯電、露光、現像、転写、定着、クリーニングの各プロセスによって画像を記録しており、以下では、画像形成プロセスをこの順に説明する。
【００２９】
まず帯電プロセスについて説明する。帯電ロール62には図示しない電源が接続されている。また、該帯電ロール62は前記感光体ドラム61の表面に接触もしくは圧接して配置されている。該帯電ロール62と該感光体ドラム61が互いに矢印の方向に回転することにより、該感光体ドラム61表層を一様均一に帯電させる。この実施の形態の帯電プロセスでは、前記帯電ロール62に約−1150[V]を印可し、感光体ドラム61を約−600[V]に一様均一に帯電させている。
【００３０】
本実施の形態の露光プロセスでは、感光体ドラム61に対向して設けられた前記露光装置5が、露光手段として画像信号に対応した光を照射して、該感光体ドラム61に静電潜像が形成される。この実施の形態で使用する該感光体ドラム6上においては、−600[V]に帯電させた状態の該感光体ドラム61のうち、前記露光装置5によって十分露光された部分の帯電残留電位は約−50[V]とされる。
【００３１】
次に現像プロセスについて説明する。本実施形態の画像形成装置においては、前記感光体ドラム61に密着して、現像装置63が設けられている.該現像装置63内には現像ロール631とトナー供給ロール632が互いに当接して配置され、図示しない駆動装置によって図の矢印の方向に回転させられる。また、現像ロール631とトナー供給ロール632には図示しない電源により電圧が印可される。また、該現像装置63内には現像ロール631に接触して現像ブレード633が配置される。また、現像ブレード633には図示しない電源により電圧が印可される。
【００３２】
この現像装置63内のトナー634は、トナー供給ロール632の回転とトナー供給ロール632に印可された電圧の作用によって、該現像ロール631に供給される。また、このトナー634は、現像ロール631および供給ロール632との摩擦により帯電させられる。現像ロール631上に供給されたトナー634は、該現像ロール631が回転することにより、前記現像ブレード633と該現像ロール631との当接部まで搬送され、該現像ブレード633に均され、薄層化される。さらに現像ロール631上で薄層化されたトナー634は、現像ロール631が回転することにより、現像ロール631と前記感光体ドラム61の接触部分まで搬送させられる。すると、このトナー634は負の極性に帯電しているので、該感光体ドラム61上の静電潜像と現像ロール上の電位との電位差により、静電潜像の電位が高い部位に付着し、該静電潜像を可視化してなる該静電潜像に応じたトナー像が形成されることになる。
【００３３】
なお、本実施形態においては、前記現像ロール631には約−250[V]、前記供給ロール632と前記現像ブレード633にはそれぞれ約−350[V]の電圧を印可している。また、該現像装置63による反転現像方法には、二成分磁気ブラシ現像器、一成分磁気ブラシ現像器、一成分非磁性現像器など、公知の技術のいずれも利用できる。一方、紙カセット67に収容された媒体は、給紙ロール68により該紙カセット67から取り出され転写部へと送られる。
【００３４】
次に転写プロセスについて説明する。トナー像を媒体に転写する手段としての転写ロール65が前記感光体ドラム61に対向して設置されている。さらに該転写ロール65には図示しない電源により電圧が印可されている。該転写ロール65に印可される電圧は、前記トナー634の帯電極性と逆極性となっている。表層に前記トナー像が形成されている前記感光体ドラム61が回転することにより、該トナー像が前記転写ロール65の近傍まで搬送される。すると、該転写ロール65に印可された電圧の作用により、該トナー層は媒体にひきつけられ、媒体に転写される。本実施形態において該転写ロール65に印可される電圧は約1500[V]である。
【００３５】
その後、媒体は、定着装置66へ搬送される。定着プロセスでは、発熱ロール66aの熱が媒体上に形成された前記トナー像のトナー634を溶融し、加圧ロール66bより加えられる圧力により、媒体に該トナー634が接着される。一方、転写後の前記感光体ドラム61には若干の前記トナー634が残留する場合がある。そこで、該感光体ドラム61に当接して設けられたクリーニングブレード70によって、該残留トナーを掻き取ることによって除去する。定着プロセスを経た媒体は、発熱ロール66a、加圧ロール66bの回転と送紙ロール69の回転により画像形成装置の外部に排出される。
【００３６】
本実施形態のレンズアレイ及びその製造方法では、前記ロッドレンズ15を光軸方向に引っ張ることにより、該ロッドレンズ15の反りや曲がりを矯正することができるので、従来技術と比較してレンズアレイのロッドンズの光軸を確実に平行にすることができる。
【００３７】
さらに、従来技術の方法では、2枚のフレーム板のうちの一方の上にロッドレンズを配置し、押し付け部材でロッドレンズの反りや曲がりを矯正しても、もう一方のフレーム板を配置して、充填剤により固化する間に、再びロッドレンズに反りや曲がりが再生してしまい、結果的に完成したレンズアレイのロッドレンズの光軸が平行でなくなることがあったが、本実施形態のように、前記レンズアレイホルダ42により前記ロッドレンズ15を挟むように前記フレーム板14にカを加えながら、前記引っ張り部材41によって、該ロッドレンズ15を光軸方向に引っ張り、さらにその状態で前記充填剤12を固化させることができるので、該ロッドレンズ15の反りや曲がりが矯正されたまま固定することができ、従来のレンズアレイのようなロッドレンズの反りや曲がりを発生させずにレンズアレイを形成することができる。したがって、本実施形態のロッドレンズアレイ10の各ロッドレンズ15による結像位置がずれるのを防止することができ、ロッドレンズアレイ10の解像度を向上させることができる。
【００３８】
また、例えば、図３に示したような前記レンズアレイ10を備えた露光装置5を用いた画像形成装置（図４）において画像を形成すると、画像濃度を均一にすることができ、画像に筋が形成されることがなくなり、画像品位を向上させることが可能である。
【００３９】
次に本発明の第２実施形態のロッドレンズアレイとその製造方法について、図面を参照しながら説明する。図６は本実施形態のレンズアレイの概略図である。図６において、複数の屈折率分布型のロッドレンズ15は、FRP(繊維強化プラスチック)製の一対のフレーム板14には挟まれて平行に配設される。これらロッドレンズ15は一対のフレーム板14問に、１列あたりの配列ピッチp=0.6[mm]で配設される。ロッドレンズ15は、直径D=0.5〔mm〕で、長さが400〔mm〕のガラス製の細長棒状体から成る。つまり、本実施形態においては、該ロッドレンズ15の直径D〔mm〕、該ロッドレンズ15の１列あたりの配列ピッチp[mm]が(数式１)のとおりに設定されている。
【００４０】
[数式１]  Ｄ＜ｐ＜２Ｄ
【００４１】
前記フレーム板14およびロッドレンズ15によって形成された空間には充填(てん)剤12が充填され、硬化され、該ロッドレンズ15が固定される。なお、フレーム板14は、後述するロッドレンズ組立装置の二つのフレーム板のうちの一方のフレーム板94として機能する。また、ロッドレンズ15は複数の屈折率分布型のロッドレンズであり、該ロッドレンズ15は、直径が0.5〔mm〕で、長さが400〔mm〕のガラス製の細長棒状体から成る。該ロッドレンズ15とフレーム板14は接着されてロッドレンズアレイを形成する。ロッドレンズ15は後述する組み立て装置におけるロッドレンズ95に該当する。
【００４２】
図７は本実施形態のレンズアレイ10と前記従来のレンズアレイ11とを比較した概略図である。本実施形態のレンズアレイ10においては、該ロッドレンズ15の１列あたりの配列ピッチｐ[mm]が［数式１］のとおりであることから、該ロッドレンズ15のひとつに注日したとき、隣り合うロッドレンズと前記フレーム板14と接触する点が３点であるのに対し、前記従来のレンズアレイ11においては配列ピッチがｐ'であり、前記ロッドレンズ15の１つが隣り合うロッドレンズと前記フレーム板14と接触する点は５点もある。このように、本実施形態のレンズアレイにおいては、前記ロッドレンズ15のひとつに注目したとき、隣り合うロッドレンズと前記フレーム板14と接触する点が３点であるので、該ロッドレンズは隣り合うロッドレンズと前記フレーム板14との間で３点で支持されるので、ロッドレンズ１５に反りや曲がりや捩れなどがあっても矯正されて、各ロッドレンズの光軸が平行になる。
【００４３】
次に本実施形態のロッドレンズアレイの製造方法について説明する。図５および図８は第２実施形態のレンズアレイを作成するレンズアレイ組み立て装置77を示す。レンズアレイ組み立て装置77は先の第１実施形態のレンズアレイ作成装置40(図１)と引っ張り部材75が異なる。図５において、前記引っ張り部材75は固定ネジ73の締め付けカで複数の前記ロッドレンズ95を挟み、プランジャ74の伸張により該ロッドレンズ95を光軸と平行方向に引っ張る。
【００４４】
この引っ張り部材75には突起76が形成されロッドレンズの端部を保持する溝が形成されている。図８に示したとおり、該突起76は複数形成され間隔Ｉｇは0. 6[mm]で形成されており、これら突起間が複数のロッドレンズ95のそれぞれを所定の間隔に保持する溝を構成する。すなわち突起76のピッチ、換言すれば溝の間隔Igは前記ロッドレンズ15の配列ピッチp[mm]に等しく、数式１と同様に、Ｄ＜Ｉｇ＜２Ｄ（Ｄはロッドレンズの直径）の関係となるように構成されている。なお、該引っ張り部材75が前記ロッドレンズ95の光軸方向のみに水平動するように該引っ張り部材75と前記レンズアレイホルダ72は、図示しない支持部材により支持される。
【００４５】
本実施形態のロッドレンズアレイの製造方法のうち、先の実施形態の方法と異なる点のみ説明すると、図９に示したように、前記引っ張り部材75と前記レンズアレイホルダ72と前記フレーム板94を１枚配置する。該引っ張り部材75は板状の部材２枚を平行に向かい合わせるように組み合わせて構成されており、ここでは、2枚の板状の部材のうちの1枚を前記突起76が図９に示した向きに形成されるように配置する。該レンズアレイホルダ72は構成する２枚の板状部材のうちの一方の上に前記フレーム板94を1枚配置する。
【００４６】
さらに該フレーム板94の上にカーボンブラック等が混入された黒色のシリコーン樹脂から成る充填剤を均一に塗布する。次に該充填剤を塗布した該フレーム板94の面上に前記ロッドレンズ95を光軸が互いに平行になるように１列に複数配置する。ここで、ロッドレンズ95は前記引っ張り部材の突起76にあわせて、Ig=0.6[mm]の間隔で配置する。ここで、図５に示したとおり、該ロッドレンズ95は前記フレーム板94やレンズアレイホルダ72よりも長いものを使用する。
【００４７】
二列のロッドレンズ列により構成されたロッドレンズアレイを作成する場合には、該ロッドレンズ95を光軸が互いに平行になるように突起76にあわせて、p=0.6[mm]の間隔で1列に配置した後に、さらにもう一列のロッドレンズを、俵積みになるように配置する。次に該ロッドレンズ95を配置した上に前記の充填剤を塗布し、もう一枚のフレーム板94を重ねる。そして図５に示されたように、前記レンズアレイホルダ72を構成する板状部材のもう一方を重ね、前記固定ネジ73を用いて固定する。
【００４８】
次に前記レンズアレイホルダ72により固定された前記ロッドレンズ95を光軸方向に引っ張ることが出来るように、図５に示されたように、前記引っ張り部材75を配置し固定ネジ73を締め付けて固定する。このとき該引っ張り部材75の突起に合わせてロッドレンズ95を挟み固定ネジ73を締め付けて固定する。さらに前記プランジャ74を回転し伸張させると前記引っ張り部材75は前記レンズホルダ72から離れるように可動するので、前記ロッドレンズ95を光軸方向に引っ張ることが出来る。次にロッドレンズアレイを所定の寸法に裁断し、各ロッドレンズ95の端面を光学研磨し、２列のロッドレンズ95を両側からフレーム板によって挟んだ構造のロッドレンズアレイが形成される。
【００４９】
この結果、前記レンズアレイホルダ72により前記ロッドレンズ95を挟むように前記フレーム板94にカを加えながら、前記引っ張り部材75によって、該ロッドレンズ95を光軸方向に引っ張り、さらに前記充填剤を固化させることにより、ロッドレンズの反りや曲がりを矯正しながら、フレーム板によりロッドレンズを配列ピッチがIg[mm]となるように固定することができ、従来のレンズアレイのようなロッドレンズの反りや曲がりを発生させずにロッドレンズアレイを形成することができる。
【００５０】
本実施形態のレンズアレイは、図６に示すとおり、前記ロッドレンズ95の１つに注目したとき、隣り合うロッドレンズと前記フレーム板94と接触する点が３点であるので、該ロッドレンズは隣り合うロッドレンズと前記フレーム板94との問で３点で支持されるので、ロッドレンズ95に反りや曲がりや捩れ等があっても矯正されて、各ロッドレンズ95の光軸が平行になる。
【００５１】
また、先の実施形態と同様に、前記ロッドレンズ95を光軸方向に引っ張ることにより、該ロッドレンズ95の反りや曲がりを矯正することができるので、従来技術と比較してレンズアレイのロッドレンズの光軸が平行でなくなることがなく、前記レンズアレイホルダ72により前記ロッドレンズ95を挟むように前記フレーム板94にカを加えながら、前記引っ張り部材75によって、該ロッドレンズ95を光軸方向に引っ張り、さらにその状態で前記充填剤を固化させることができるので、該ロッドレンズ95の反りや曲がりが矯正されたまま固定することができ、従来のレンズアレイのようなロッドレンズの反りや曲がりを発生させずにレンズアレイを形成することができる。
【００５２】
したがって、本実施形態のロッドレンズアレイの各ロッドレンズによる結像位置がずれるのを防止することができて、ロッドレンズアレイの解像度を向上させることができる。そして、例えば、図３に示したような前記レンズアレイ10を備えた露光装置5を用いた画像形成装置において画像を形成すると、画像濃度を均一にすることができ、画像に筋が形成されることがなくなり、画像品位を向上させることが可能である。
【００５３】
本発明の結像光学素子としてのロッドレンズアレイは、実施形態に示した露光装置、画像形成装置としての利用のほか、照明装置、画像入力装置等として利用できるものである。
【００５４】
各実施形態では、ロッドレンズを２列に配列した例を示したが、１列に形成するもの、あるいは３列以上で形成するものにも適用可能である。
【図面の簡単な説明】
【００５５】
【図１】本発明の第１実施形態にかかるロッドレンズアレイを製造する方法をレンズアレイ作成装置と共に示す模式図であって、（ａ）はレンズアレイ作成装置の正面及び上面を示す図であり、（ｂ）は（ａ）のＡ−Ａ線に沿った断面を示す図である。
【図２】従来のロッドレンズアレイの一例を示す概略斜視図である。
【図３】本発明の第１実施形態にかかるロッドレンズアレイを用いた露光装置の一例を示す模式図である。
【図４】本発明の第１実施形態にかかるロッドレンズアレイを用いた電子写真装置の一例を示す模式図である。
【図５】本発明の第２実施形態にかかるロッドレンズアレイを製造する方法をレンズアレイの組み立て装置と共に示す模式図であって、（ａ）はレンズアレイ作成装置の正面及び上面を示す図であり、（ｂ）は（ａ）のＡ−Ａ線に沿った断面を示す図である。
【図６】本発明の第２実施形態にかかるロッドレンズアレイを一部破断して示す断面及び上面を示す図である。
【図７】本発明の第２実施形態にかかるロッドレンズアレイを従来のロッドアレイレンズと対比して示す断面図である。
【図８】本発明の第２実施形態にかかるロッドレンズアレイを製造する方法をレンズアレイの組み立て装置と共に示す模式図である。
【図９】本発明の第２実施形態にかかるロッドレンズアレイを製造する方法をレンズアレイの組み立て装置と共に示す模式図である。
【符号の説明】
【００５６】
５  露光装置
１０  ロッドレンズアレイ
１４、９４  フレーム板
１５、９５  ロッドレンズ
４１  引っ張り部材
４２、７２  レンズアレイホルダ
４３  固定ネジ
４４  プランジャ
５１  アレイチップ
５２  ドライバIC
５３  配線基板
５４  ワイヤ
５５  保持部材
６１  感光ドラム
７３  固定ねじ
７４  プランジャ
７５  引っ張り部材
【図１】
2007025325.tif 000003
【図２】
2007025325.tif 000004
【図３】
2007025325.tif 000005
【図４】
2007025325.tif 000006
【図５】
2007025325.tif 000007
【図６】
2007025325.tif 000008
【図７】
2007025325.tif 000009
【図８】
2007025325.tif 000010
【図９】
2007025325.tif 000011